(57)【要約】【課題】認証情報を忘れにくく、車両を盗難から保護する効果を高めたセキュリティ機能を有するカーナビゲーションシステムを提供する。【解決手段】本発明は、位置情報を取得する位置情報取得部と、地図情報を記憶する地図情報記憶部と、位置情報と地図情報を表示する表示部とを有するカーナビゲーションシステムにおいて、地図情報の地点を指定してその位置情報を認証情報として入力する認証情報入力手段と、この認証情報を記憶する認証情報記憶部と、２つの認証情報を照合してエンジンの始動の可否を制御する認証情報照合部とを有し、認証情報記憶部には、エンジンの始動の前に入力された基準認証情報が記憶され、認証情報照合部は、エンジンを始動するときに入力される比較認証情報と基準認証情報とを比較して一致したときにエンジンの始動を可能にすることを特徴としている。【選択図】  図１
2004175198.tif 000002
【特許請求の範囲】
【請求項１】
自身の位置情報を取得する位置情報取得部と、地図情報を記憶する地図情報記憶部と、自身の位置情報と地図情報とを重ね合わせて表示する表示部とを有するカーナビゲーションシステムにおいて、地図情報に含まれる地点を指定することによりその地点の位置情報を地図情報から取得して認証情報として入力する認証情報入力手段と、認証情報入力手段で入力された認証情報を記憶する認証情報記憶部と、２つの認証情報を照合して自身が設けられた車両のエンジンの始動の可否を制御する認証情報照合部とを有し、認証情報記憶部には、エンジンの始動の前に認証情報入力手段により入力された基準認証情報があらかじめ記憶され、認証情報照合部は、エンジンを始動するときに認証情報入力手段により随時入力される比較認証情報と基準認証情報とを比較してそれらが一致したときにエンジンの始動を可能にするものであることを特徴とするカーナビゲーションシステム。
【請求項２】
認証情報入力手段は、表示部に表示された地図情報の地点を表示部上で指し示すことによりその地点の位置情報を地図情報から取得して認証情報として入力するものであることを特徴とする請求項１記載のカーナビゲーションシステム。
【発明の詳細な説明】
【０００１】
【発明の属する技術分野】
本発明は、セキュリティ機能を有するカーナビゲーションシステムに関する。
【０００２】
【従来の技術】
従来のセキュリティ機能には、装置起動時に使用者が暗証番号やパスワードを入力し、それがあらかじめ設定したパスワードと一致したときにその装置を使用可能とするものなどがあった。特開２００２−１７３００３号公報には、建設機械を強制的に動作可能とするために暗証番号を利用するものが開示されている。
【０００３】
【特許文献１】
特開２００２−１７３００３号公報
【０００４】
【発明が解決しようとする課題】
しかしながら、特開２００２−１７３００３号公報などに用いられるような暗証番号やパスワードなどの認証情報を用いるセキュリティ装置においては、使用者は、無意識のうちに、覚えやすいもの（例えば、誕生日など）をパスワードに用いるときがあり、窃盗犯により盗難された後、その者が繰り返しパスワードを入力して正しいパスワードを得ることが比較的容易であるという問題点があった。
【０００５】
本発明は、上記事由に鑑みてなしたもので、その目的とするところは、認証情報を忘れにくく、車両を盗難から保護する効果を高めたセキュリティ機能を有するカーナビゲーションシステムを提供することにある。
【０００６】
【課題を解決するための手段】
請求項１に係る発明は、自身の位置情報を取得する位置情報取得部と、地図情報を記憶する地図情報記憶部と、自身の位置情報と地図情報とを重ね合わせて表示する表示部とを有するカーナビゲーションシステムにおいて、地図情報に含まれる地点を指定することによりその地点の位置情報を地図情報から取得して認証情報として入力する認証情報入力手段と、認証情報入力手段で入力された認証情報を記憶する認証情報記憶部と、２つの認証情報を照合して自身が設けられた車両のエンジンの始動の可否を制御する認証情報照合部とを有し、認証情報記憶部には、エンジンの始動の前に認証情報入力手段により入力された基準認証情報があらかじめ記憶され、認証情報照合部は、エンジンを始動するときに認証情報入力手段により随時入力される比較認証情報と基準認証情報とを比較してそれらが一致したときにエンジンの始動を可能にするものであることを特徴とするカーナビゲーションシステム。
【０００７】
したがって、エンジンを始動するためには、カーナビゲーションシステムの地図情報記憶部に記憶された地図情報（例えば建物の名称など）からあらかじめ選択して入力された位置情報（例えば、緯度、経度、高度）に基づく認証情報を入力する必要があるので、４桁などのパスワード方式に比べて多くの組み合わせの中から選択する必要があり、盗難されにくい装置を提供することが可能となる。また、入力文字数を多くして認証を困難にしたパスワード方式と比較して、認証情報が意味を有しているので認証情報を忘れにくくすることができる。このことにより、認証情報を忘れにくく、車両を盗難から保護する効果を高めたセキュリティ機能を有するカーナビゲーションシステムを提供することができる。
【０００８】
請求項２に係る発明は、請求項１記載のカーナビゲーションシステムにおいて、認証情報入力手段は、表示部に表示された地図情報の地点を表示部上で指し示すことによりその地点の位置情報を地図情報から取得して認証情報として入力するものであることを特徴としている。
【０００９】
したがって、建物の名称などの地図情報を入力するときに建物の地図上のシンボルや場所を表示部上で指し示すことによって直感的に入力を行うので、文字入力の操作が苦手な人でも認証情報を簡単に入力することができる。
【００１０】
【発明の実施の形態】
（第１の実施形態）
次に、すべての請求項の発明に係る一実施形態を図１乃至図４を用いて説明する。このカーナビゲーションシステムＳは、位置情報取得部１と、地図情報記憶部２と、表示部３と、認証情報入力手段４と、認証情報記憶部５と、制御部６とを有して構成され、エンジン制御装置７とエンジン８とを有する車両Ｃに内蔵されている。
【００１１】
位置情報取得部１は、ＧＰＳアンテナと、ＧＰＳ受信部を有して自身の位置情報を取得するものであり、制御部６に接続されている。ＧＰＳアンテナは、地球の上空を周回するＧＰＳ衛星（図示せず）からＧＰＳ信号を受信し、ＧＰＳ受信部は、ＧＰＳアンテナから入力された所定数以上のＧＰＳ信号により、現在位置の位置情報を取得する。ここで、所定数は、３次元の位置情報（例えば、緯度、経度、高度）を得るときには４個のことを意味している。
【００１２】
地図情報記憶部２は、カーナビゲーションシステムＳに用いる地図情報を記憶するものであり、制御部６に接続されている。このものは、光ディスク装置や磁気ディスク装置などの大容量の記憶装置により構成されている。この地図情報は、道路情報の他に建物の種類や名称などを位置情報に対応させて記憶したものである。
【００１３】
表示部３は、液晶ディスプレイで構成され、制御部６に接続されている。このものは、位置情報取得部１で取得された自身の位置情報と、地図情報記憶部２に記憶された地図情報とを重ね合わせて表示し、現在位置を使用者に知らせるものである。
【００１４】
認証情報入力手段４は、カーナビゲーションシステムＳを操作するリモコン装置により構成され、制御部６に接続されている。このものは、その表面に表示部３に表示されるカーソルＣＲの方向を指示する方向キーＤＫや、文字や数値を入力するキーや操作を決定するキーを備えたキーボードＴＫを有している。このものは、方向キーＤＫで表示部３の画面上のカーソルＣＲを移動し、カーソルＣＲにより選択する地図上のシンボル（図２では警察署）を指し示してから、キーボードＴＫで決定することにより地図上の地点を指定し、その地点の位置情報を地図情報から取得して認証情報として入力する。このものは、エンジン８始動の前における認証情報の初期設定時（例えば、初めて電源を投入する時）とエンジン８の始動時に用いられ、エンジン８の始動時には制御部６により認証情報の入力が要求される。以後、初期設定時に入力される認証情報を基準認証情報、エンジン８の始動時に入力される認証情報を比較認証情報と呼ぶものとする。このものは、入力された認証情報を制御部６に出力する。
【００１５】
認証情報記憶部５は、不揮発性の半導体メモリで構成され、制御部６に接続されている。このものは、初期設定時に認証情報入力手段４で入力された基準認証情報を位置情報の形式で記憶する。
【００１６】
制御部６は、中央演算装置を有して構成され、位置情報取得部１と、地図情報記憶部２と、表示部３と、認証情報入力手段４と、認証情報記憶部５と、エンジン制御装置７とに接続されている。このものは、カーナビゲーションシステムＳの各部の制御を行い、現在の位置情報をを地図情報と重ね合わせて表示するカーナビゲーションの動作を行う。また、このものは、認証情報照合部６ａを有しており、この認証情報照合部６ａは、自身の設けられた車両Ｃのエンジン８を始動するときに認証情報入力手段１により随時入力される比較認証情報と認証情報記憶部５に記憶された基準認証情報とを照合し、それらが一致したときにエンジン制御装置７をエンジン８の始動を可能にするように制御する。
【００１７】
エンジン制御装置７は、制御部６に接続され、エンジン８の始動や停止などの制御を行うものである。このものは、制御部６の認証情報照合部６ａにより始動が可能な状態にされているときにのみエンジン８を始動することができる。
【００１８】
エンジン８は、車両Ｃの駆動部であり、エンジン制御装置７と接続されている。このものは、エンジン制御装置７に制御され、始動や停止を行う。
【００１９】
次に、第１の実施形態の動作について説明する。まず、認証情報の初期設定時の動作について図３を用いて説明する。設定開始操作を行うと（ＳＴ１０１）、カーナビゲーションシステムＳの電源が入り、表示部３に基準認証情報を設定するように表示される（ＳＴ１０２）。そして、認証情報入力手段４により基準認証情報を入力し、認証情報記憶部５は、この基準認証情報を記憶する（ＳＴ１０４）。そして、カーナビゲーションシステムＳの電源を切断して終了する（ＳＴ１０５）。
【００２０】
次に、エンジン８の始動時の動作について図４を用いて説明する。エンジン８の始動操作を行うと（ＳＴ２０１）、カーナビゲーションシステムＳの電源が入り、表示部３に初期設定時に入力した基準認証情報と同じ内容の比較認証情報を入力するように表示される（ＳＴ２０２）。そして、認証情報入力手段４により比較認証情報を入力する（ＳＴ２０４）。ここで、認証情報記憶部５から初期設定時に記憶した基準認証情報を取り出し（ＳＴ２０５）、認証情報照合部６ａは、基準認証情報と比較認証情報とが一致するかどうかを判断する（ＳＴ２０６）。そして、それらが一致しているときには、認証情報照合部６ａがエンジン制御装置７にエンジン８の始動を可能にする（ＳＴ２０７）ので、エンジン８は、始動する（ＳＴ２０８）。一方、それらが一致していないときには、認証情報照合部６ａは、エンジン８の始動を不可にするので、エンジン８は、始動しない（ＳＴ２０９）。そして、表示部３は、入力した比較認証情報が基準認証情報と異なっていることを表示して警告する（ＳＴ２１０）。このため、基準認証情報８を知らない人が、車両Ｃのエンジン８をかけようとしてもエンジン８を始動することができないので、車両の盗難による被害を防ぐことができる。
【００２１】
このように、第１の実施形態においては、エンジン８を始動するためには、カーナビゲーションシステムＳの地図情報記憶部２に記憶された地図情報（例えば建物の名称など）からあらかじめ選択して入力された位置情報（例えば、緯度、経度、高度）に基づく認証情報を入力する必要があるので、４桁などのパスワード方式に比べて多くの組み合わせの中から選択する必要があり、盗難されにくい装置を提供することが可能となる。また、入力文字数を多くして認証を困難にしたパスワード方式と比較して、認証情報が意味を有しているので認証情報を忘れにくくすることができる。このことにより、認証情報を忘れにくく、車両を盗難から保護する効果を高めたセキュリティ機能を有するカーナビゲーションシステムを提供することができる。
【００２２】
また、建物の名称などの地図情報を入力するときに建物の地図上のシンボルや場所を表示部上で指し示すことによって直感的に入力を行うので、文字入力の操作が苦手な人でも認証情報を簡単に入力することができる。
【００２３】
なお、認証情報入力手段４は、このものは、方向キーＤＫで表示部３の画面上のカーソルＣＲを移動し、カーソルＣＲにより選択する地図上のシンボルを指し示して入力するものについて説明したが、表示部３がその画面に指で触れることによりその位置を入力できるタッチパネルであり、指で地図上のシンボルを指し示して入力するものであってもよい。勿論、キーボードＴＫを用いて地図情報を文字入力により入力するものであってもよい。
【００２４】
【発明の効果】
請求項１に係る発明によれば、エンジンを始動するためには、カーナビゲーションシステムの地図情報記憶部に記憶された地図情報（例えば建物の名称など）からあらかじめ選択して入力された位置情報（例えば、緯度、経度、高度）に基づく認証情報を入力する必要があるので、４桁などのパスワード方式に比べて多くの組み合わせの中から選択する必要があり、盗難されにくい装置を提供することが可能となる。また、入力文字数を多くして認証を困難にしたパスワード方式と比較して、認証情報が意味を有しているので認証情報を忘れにくくすることができる。このことにより、認証情報を忘れにくく、車両を盗難から保護する効果を高めたセキュリティ機能を有するカーナビゲーションシステムを提供することができる。
【００２５】
請求項２に係る発明によれば、請求項１記載の効果に加え、建物の名称などの地図情報を入力するときに建物の地図上のシンボルや場所を表示部上で指し示すことによって直感的に入力を行うので、文字入力の操作が苦手な人でも認証情報を簡単に入力することができる。
【図面の簡単な説明】
【図１】第１の実施形態の構成を示すブロック図である。
【図２】第１の実施形態の認証情報入力手段の構成を示す構成図である。
【図３】第１の実施形態の初期設定時の動作を示すフローチャートである。
【図４】第１の実施形態のエンジン始動時の動作を示すフローチャートである。
【符号の説明】
１      位置情報取得部
２      地図情報記憶部
３      表示部
４      認証情報入力手段
５      認証情報記憶部
６      制御部
６ａ    認証情報照合部
７      エンジン制御装置
８      エンジン
Ｓ      カーナビゲーションシステム
Ｃ      車両
【図１】
2004175198.tif 000003
【図２】
2004175198.tif 000004
【図３】
2004175198.tif 000005
【図４】
2004175198.tif 000006